(57)【要約】【課題】二酸化塩素を利用した簡易型の空間除菌方法及び空間除菌用具を提供する。【解決手段】容器本体と、前記容器本体に設けられた開口部と、前記容器本体内に収容される二酸化塩素発生組成物と、前記二酸化塩素発生組成物の下方に配置される水蒸気発生手段と、を備えた空間除菌用具。【選択図】  図１
2015093811.tif 000002
【特許請求の範囲】
【請求項１】
空間に二酸化塩素を放出し、放出した二酸化塩素によって前記空間の除菌を行うようにした空間除菌方法であって、水蒸気を発生させ、前記水蒸気を二酸化塩素発生組成物に接触させることによって、前記二酸化塩素発生組成物から発生した二酸化塩素を前記水蒸気と共に、空間へ放出することを特徴とする、空間除菌方法。
【請求項２】
水との反応で発熱する発熱剤と水を反応させ、発熱剤の発熱によって水蒸気を発生させることを特徴とする、請求項１の空間除菌方法。
【請求項３】
空間に二酸化塩素を放出し、放出した二酸化塩素によって前記空間の除菌を行うようにした空間除菌用具であって、容器本体と、前記容器本体に設けられた開口部と、前記容器本体内に収容される二酸化塩素発生組成物と、前記二酸化塩素発生組成物の下方に配置される水蒸気発生手段と、を備えることを特徴とする空間除菌用具。
【請求項４】
前記容器の内部が、通気性の載置部によって上下に区画され、該容器の下部に前記水蒸気発生手段が設けられ、前記載置部の上に前記二酸化塩素発生組成物が設けられていることを特徴とする、請求項３に記載の空間除菌用具。
【請求項５】
前記水蒸気発生手段が、水との反応で発熱する発熱剤であることを特徴とする、請求項３又は４に記載の空間除菌用具。
【請求項６】
前記二酸化塩素発生組成物が、二酸化塩素又はその前駆体物質を固形担体に担持したものであることを特徴とする、請求項１〜５のいずれかに記載の空間除菌方法又は空間除菌用具。
【発明の詳細な説明】
【技術分野】
【０００１】
本発明は、二酸化塩素を利用した簡易型の空間除菌用具に関するものである。
【背景技術】
【０００２】
二酸化塩素分子は塩素原子上に不対電子をもつラジカルであり、反応性が非常に高く、人体への影響も少ないことから、除菌・消臭剤として利用されている。例えば、特許文献１に記載の携帯用の袋入り抗菌剤が知られている。かかる袋入り抗菌剤は、ストラップを用いて首にかけて携帯することにより、携帯者の周辺の空間を除菌することができる。
【０００３】
一方、二酸化塩素を用いて建屋の内部空間の空気の除菌を行うようにした二酸化塩素発生装置が知られている。例えば、特許文献２に記載の二酸化塩素発生装置は、有機酸溶液と亜塩素酸塩溶液と二酸化塩素の生成能を向上させる塩化物とを含有する混合溶液をバブリングにより攪拌し、二酸化塩素を発生させ、バブリングに利用した空気と共に空間へ二酸化塩素を放出するものである。
また、特許文献３には二酸化塩素溶液を加熱用ヒータによって気化させ、気化した二酸化塩素をファンによって空間に放出する二酸化塩素発生装置が記載されている。
【０００４】
しかし、上に挙げた二酸化塩素発生装置はバブリングのためのポンプや、ファンを備える、比較的複雑な機構を有するため、かかる二酸化塩素発生装置を小型に設計することは困難であった。
【先行技術文献】
【特許文献】
【０００５】
【特許文献１】特開２０１３−５６９０７号公報
【特許文献２】特開平１０−１８２１０６号公報
【特許文献３】特開２００７−１４５６５４号公報
【発明の開示】
【発明が解決しようとする課題】
【０００６】
複雑な機構を備えることなく、簡便に二酸化塩素を空間に放散し、空間の除菌を行う方法、及び二酸化塩素を空間に放出し空間の除菌を行う、簡便な空間除菌用具を提供する。
【課題を解決するための手段】
【０００７】
上記課題を解決するために、本発明の空間除菌方法は以下の構成をとる。すなわち、本発明の空間除菌方法は、水蒸気を発生させ、前記水蒸気を二酸化塩素発生組成物に接触させることによって、前記二酸化塩素発生組成物から発生した二酸化塩素を前記水蒸気と共に、空間へ放出する。そして、放出された二酸化塩素によって空間の除菌を行う。
本発明によれば、ファンなどの電気で駆動する機構を備えることなく、空間に二酸化塩素を効率よく放出することができる。
【０００８】
また、本発明の好ましい形態によれば、水との反応で発熱する発熱剤と水を反応させ、発熱剤の発熱によって水蒸気を発生させることを特徴とする。
このような形態をとることによって、電熱ヒーターのような電力によって加熱する機構を備えることなく、容易に水蒸気を発生させることができる。
【０００９】
本発明の空間除菌用具は、空間に二酸化塩素を放出し、放出した二酸化塩素によって前記空間の除菌を行うようにした空間除菌用具であって、容器本体と、前記容器本体に設けられた開口部と、前記容器本体内に収容される二酸化塩素発生組成物と、前記二酸化塩素発生組成物の下方に配置される水蒸気発生手段と、を備えることを特徴とする。
このように構成される本発明の空間除菌用具の二酸化塩素放出機構を以下に説明する。
水蒸気は空気よりも比重が軽いため上昇する性質を有する。そのため、水蒸気発生手段より発生した水蒸気は、その上方に位置する二酸化塩素発生組成物と接触する。すると、二酸化塩素発生組成物より発生した二酸化塩素が水蒸気と共に容器本体から放出され、空間に二酸化塩素が放散される。
このように、本発明の空間除菌用具は、水蒸気の性質を利用して空間へ二酸化塩素を放散するため、ファンなどの複雑な機構を備える必要がない。そのため、本発明は小型で簡便な機構の空間除菌用具を提供することができる。
【００１０】
本発明の空間除菌用具の好ましい形態では、前記容器の内部が、通気性の載置部によって上下に区画され、該容器の下部に前記水蒸気発生手段が設けられ、前記載置部の上に前記二酸化塩素発生組成物が設けられていることを特徴とする。
このように水蒸気発生手段と二酸化塩素発生組成物を設ける区画を載置部によって仕切ることで、振動などによって水蒸気発生手段と二酸化塩素発生組成物の配置が入れ替わることを防ぐことができる。また、水蒸気発生手段より発生した水蒸気を効率よく二酸化塩素発生手段に接触させることができる。
【００１１】
通気性の載置部は、二酸化塩素発生手段をその上に載置することができ、かつ水蒸気を通す性質の物であればよい。通気性の載置部としては、複数の貫通孔を有する金属製の板や金属製の網などが好ましく挙げられる。
【００１２】
本発明の空間除菌用具のより好ましい形態では、前記水蒸気発生手段が、水との反応で発熱する発熱剤であることを特徴とする。
このように水蒸気発生手段として水との反応で発熱する発熱剤を採用すれば、簡便に水蒸気を発生させられる。また、発熱剤の反応が終了した後は、発熱剤を取り除くことで容器本体を再利用することができる。
【００１３】
本発明の好ましい形態では、前記二酸化塩素発生組成物が、二酸化塩素又はその前駆体物質を固形担体に担持したものであることを特徴とする。二酸化塩素発生組成物をこのような形態とすることで、空間除菌用具の取り扱い性及び安全性が向上する。
【発明の効果】
【００１４】
本発明の空間除菌方法、空間除菌用具を用いれば、簡便に空間中に存在する細菌やウイルスを除菌することができる。
【図面の簡単な説明】
【００１５】
【図１】実施例１の空間除菌用具を表す図である。
【図２】実施例１の空間除菌用具を分解した図である。
【図３】実施例１の空間除菌用具の使用時における断面図である。
【図４】実施例１の空間除菌用具の断面図を用いて、その使用方法を説明した図である。
【図５】実施例２の空間除菌用具を分解した図である。
【図６】実施例３の空間除菌用具の斜視図及び断面図である。
【図７】実施例４の空間除菌用具の斜視図である。
【発明を実施するための形態】
【００１６】
次に、本発明の好ましい実施形態について詳細に説明する。ただし、本発明は以下の好ましい実施形態に限定されず、本発明の範囲内で自由に変更することができるものである。
【００１７】
＜空間除菌方法＞
本発明の空間除菌方法は、空間に二酸化塩素を放出し、放出した二酸化塩素によって前記空間の除菌を行うようにした空間除菌方法であって、水蒸気を発生させ、前記水蒸気を二酸化塩素発生組成物に接触させることによって、前記二酸化塩素発生組成物から発生した二酸化塩素を前記水蒸気と共に、空間へ放出することを特徴とする。
【００１８】
本発明において除菌は、二酸化塩素により空間中に存在する細菌やウイルスを酸化して無効化することによって達成される。なお、本方法によれば空間中に存在する匂い分子も二酸化塩素により酸化することができるので、本方法は消臭方法としても用いることができる。
【００１９】
本発明に係る空間除菌方法における二酸化塩素発生組成物とは、二酸化塩素を発生する錠剤、粉末、ゲル等のことをいい、その形態は限られず、市販されている二酸化塩素発生剤を使用することができる。例えば、二酸化塩素又はその二酸化塩素前駆体を固形担体に担持したものが好ましく例示できる。該二酸化塩素前駆体としては、固形の亜塩素酸塩（ナトリウム塩が好ましく例示できる）又は固形の亜塩素酸塩と固形酸（クエン酸、酢酸、蟻酸などの有機酸が好ましく例示できる）の混合物などが好ましく例示できる。後者の場合、水蒸気発生手段から供給される水分によって二酸化塩素発生反応が促進される。
前記固形担体としては、セピオライト、ゼオライト、シリカ、アルミナ、及びシリカアルミナなどの多孔性の微粒子が好ましく例示できる。
【００２０】
本発明に係る空間除菌方法における水蒸気の発生方法は、水を加熱する方法が好ましい。水を加熱する方法としては、火、電熱、化学反応熱を利用する方法が例示できる。
本発明に係る空間除菌方法のさらに好ましい形態では、水との反応で発熱する発熱剤と水を反応させ、発熱剤の発熱によって水蒸気を発生させることを特徴とする。水との反応で発熱する発熱剤の形態は特に限定されず、市販のものを用いることができる。例えば、粉末生石灰（ＣａＯ）、粉末生石灰と粉末アルミニウム（Ａｌ）の混合物又は粉末マグネシウム（Ｍｇ）等が好ましく例示できる。
【００２１】
本発明に係る空間除菌方法では、発熱剤の発熱反応により発生した水蒸気を、二酸化塩素発生組成物に接触させる。この時、発生した水蒸気を二酸化塩素発生組成物に効率的に接触させる構成を採ることが好ましい。例えば、水蒸気は空気中で上昇する性質があるため、水蒸気の発生源である発熱剤を、二酸化塩素発生組成物の下方に配置することが好ましい。また、容器又は筒上の物のように壁材で囲まれた空間において水蒸気を発生させ、その水蒸気が容器等の外部に放出される経路の途中に二酸化塩素発生組成部を配置することも好ましい。
【００２２】
＜空間除菌用具＞
本発明の空間除菌用具は、空間に二酸化塩素を放出し、放出した二酸化塩素によって前記空間の除菌を行うようにした空間除菌用具であって、容器本体と、前記容器本体に設けられた開口部と、前記容器本体内に収容される二酸化塩素発生組成物と、前記二酸化塩素発生組成物の下方に配置される水蒸気発生手段と、を備えることを特徴とする。
【００２３】
本発明の空間除菌用具における容器本体としては、水蒸気を透過しない材質のものが好ましい。水蒸気発生手段より発生した水蒸気を効率よく二酸化塩素発生組成物に接触させるためである。また、水蒸気により劣化しない材質であることも好ましい。
また、かかる容器本体は耐熱性のある材質であることが好ましい。後述するように、水蒸気を発生させるために水を加熱する必要があるからである。
かかる容器本体の材質としては、具体的には、陶器、金属、耐熱性のあるプラスチックなどが好ましく例示できる。
【００２４】
前記容器本体の形状は、水蒸気発生手段より発生した水蒸気が二酸化塩素発生組成物と接触し、水蒸気と二酸化塩素を容器本体外に放出できることができる形状であれば特に限定されない。
【００２５】
本発明の空間除菌用具の容器本体に設けられる開口部は、二酸化塩素を放出することができれば、その個数、形態、容器本体における位置、範囲、大きさは特に限定されない。
【００２６】
本発明の空間除菌用具の好ましい形態では、前記容器の内部が、通気性の載置部によって上下に区画され、該容器の下部に前記水蒸気発生手段が設けられ、前記載置部の上に前記二酸化塩素発生組成物が設けられていることを特徴とする。
【００２７】
前記通気性の載置部は、二酸化塩素発生手段をその上に載置することができ、かつ水蒸気を通す性質の物であればよい。通気性の載置部としては、複数の貫通孔を有する金属製の板や金属製の網などが好ましく挙げられる。
【００２８】
本発明の空間除菌用具の好ましい形態は、前記水蒸気発生手段が、水との反応で発熱する発熱剤であることを特徴とする。
水との反応で発熱する発熱剤の形態は特に限定されず、市販のものを用いることができる。例えば、粉末生石灰（ＣａＯ）、粉末生石灰と粉末アルミニウム（Ａｌ）の混合物又は粉末マグネシウム（Ｍｇ）等が好ましく例示できる。
本発明の空間除菌用具においては、かかる発熱剤は水を透過する材質の袋体に収納されていることが好ましい。袋体としては不織布などが好ましく例示できる。このような袋体に発熱剤を収納することによって、容器本体への発熱剤の設置が容易かつ安全になる。また、発熱剤の組成物と二酸化塩素発生組成物が混合することを防ぐことができる。
【００２９】
本発明に係る空間除菌方法における二酸化塩素発生組成物とは、二酸化塩素を発生する錠剤、粉末、ゲル等のことをいい、その形態は限られず、市販されている二酸化塩素発生剤を使用することができる。
前記二酸化塩素発生組成物としては二酸化塩素又はその二酸化塩素前駆体を固形担体に担持したものが好ましく例示できる。該二酸化塩素前駆体としては、固形の亜塩素酸塩（ナトリウム塩が好ましく例示できる）又は固形の亜塩素酸塩と固形酸（クエン酸、酢酸、蟻酸などの有機酸が好ましく例示できる）の混合物が好ましく例示できる。後者の場合、水蒸気発生手段から供給される水分によって二酸化塩素発生反応が促進される。
前記固形担体としては、セピオライト、ゼオライト、シリカ、アルミナ、及びシリカアルミナなどの多孔性の微粒子が好ましく例示できる。
【実施例】
【００３０】
以下、本発明の実施形態について図１〜７を参照して説明する。
【００３１】
＜実施例１＞
図１〜４を参照して実施例１に係る本発明の空間除菌用具について説明する。実施例１の空間除菌用具１は容器本体２が容器部２ａと蓋部２ｂに分離できるように構成されている。このような構成を採ることによって、袋入り発熱剤４及び袋入り二酸化塩素発生組成物５の設置及び取り出しが容易にできるようになる（図１〜４参照）。
また、容器部２ａと蓋部２ｂの重なる部分には、ねじ山が設けられており（図２〜４参照）、閉口時に蓋部２ｂを回転させて容器部２ａと固定することができる（図４（ｂ）参照）。
容器部２ａには取っ手２ｃが設けられている。取っ手２ｃを設けることによって、発熱剤４により加熱された容器２を直接触ることなく、空間除菌用具１を持ち運びできるため安全である。
【００３２】
載置部６は、図１及び２に示すように、複数の貫通孔６ａが設けられた円盤状の穴開きプレートによって形成されている。このような貫通孔６ａを設けることによって、水蒸気を通過させ、かつ、載置部６上に袋入り二酸化塩素発生組成物５を保持することができる。
容器部２ａは、底板を有する円筒状に形成され、その内周面には、内周面に沿って一周する環状の突起２ｆが設けられている。これにより、輪郭が円盤状の載置部６を容器本体２内に保持することができる構造になっている。また、かかる構造を採用することによって、載置部６を容易に取り外すことができ、袋入り発熱剤４の設置が容易になる。
蓋部２ｂの天板２ｅには、煙突状の開口部３を形成するための小径筒部３ａが設けられている。したがって、天板２ｅには、容器部２ａ内に連通する孔２ｄが設けられている。
【００３３】
実施例１における空間除菌用具においては、袋入り発熱剤４は水との反応で発熱する発熱剤が不織布製の袋に封入されたものである。また、袋入り二酸化塩素発生組成物５は、二酸化塩素発生組成物が不織布製の袋に封入されたものである。不織布は水、水蒸気及び二酸化塩素を透過するため、本発明における発熱剤及び二酸化塩素発生組成物を封入する袋の素材として適している。
【００３４】
次に実施例１の空間除菌用具１の使用方法について説明する。
まず、容器部２ａの底部に袋入り発熱剤４を設置し、そこへ水４ｂを注ぐ（図４（ａ）参照）。次に、載置部６を容器部２ａに設置し、その上に袋入り二酸化塩素発生組成物５を載せた後、蓋部２ｂと容器部２ａを固定する（図４（ｂ））。
水４ｂを袋入り発熱剤４へ注ぐと、水４ｂと袋入り発熱剤４が発熱しながら反応する。すると、袋入り発熱剤４の周りに存在する水４ｂが熱せられ、その結果、水蒸気４ａが発生する（図３、図４（ｃ））。発生した水蒸気４ａは上昇し、載置部６を通過し、載置部６の上に設けられた袋入り二酸化塩素発生組成物５と接触する（図３、図４（ｃ））。袋入り二酸化塩素発生組成物５より発生した二酸化塩素５ａは、水蒸気４ａと接触することによって、水蒸気４ａと共に開口部３より空間へ放出される（図３、図４（ｃ））。水と発熱剤の反応により、次々と水蒸気が発生するため、容器本体２内の空気圧は上昇し、水蒸気４ａは開口部３より勢いよく放出される。そのため、二酸化塩素発生組成物５を静置しているときに比べて数倍の量の二酸化塩素５ａが空間中に放出される。
【００３５】
＜実施例２＞
図５に示すように、実施例２の空間除菌用具１は、容器本体の形状が方形となるように形成されている。また、載置部６は、実施例１とは異なり、容器部２ａに突起２ｆがなくとも容器部２ａに設置することができる。即ち、載置部６には、容器部２ａの上縁に載置されるフランジ６ｂが設けられている。
実施例２の空間除菌用具１の開口部３は、蓋部２ｂの上部全面に備えられた網状の形態となっている。即ち、蓋部２ｂの天板部分が網状（メッシュ状）の開口部３として形成されている。
【００３６】
本発明を実施するに当たっては、図５に示すように、袋入り発熱剤４及び袋入り二酸化塩素発生組成物５と共に、シール４ｅにより閉じられた開封口４ｄを有する水の入った袋４ｃを備えることが好ましい。こうすることで、別途水を用意することなく、すぐに空間除菌用具１を使用することが可能になる。
【００３７】
実施例２の空間除菌用具１の使用方法も、実施例１と同じである。すなわち容器部２ａの底部に袋入り発熱剤４を置き、水の入った袋４ｃの開封口４ｄを開封し、袋入り発熱剤４へ水を注ぐ。その後、載置部６を設置し、袋入り二酸化塩素発生組成物５を載置部６の上に載せ、蓋部２ｂで蓋をする。すると、実施例１の説明において述べたように、開口部３より水蒸気と二酸化塩素が放出される。
【００３８】
＜実施例３＞
実施例３の空間除菌用具１は、ドーム状に形成された金属製の容器本体２、載置部６と載置部６上に設けられた袋入り二酸化塩素発生組成物５、袋入り発熱剤４と、その上部に設けられた水の入った袋４ｃ、そして開口部３及び貫通孔２ｈが設けられた中空管２ｇより構成されている（図６参照）。中空管２ｇの下方の端は鋭利な形状に形成されている（図６（ｂ）参照）。中空管２ｇは、容器本体２内に鉛直に進入するように設けられており、下方に押し込めるようになっている（図６（ｂ）（ｃ））。これにより、中空管２ｇの鋭利な下端部で水の入った袋４ｃを突き破ることができるように設計されている。
【００３９】
次に実施例３の空間除菌用具１の使用方法について説明する。まず、容器本体２より上方に突出している中空管２ｇを下方に押し込む。すると、中空管２ｇの鋭利な下端部によって、その下方に備えられている水の入った袋４ｃが突き破られる。すると、水の入った袋４ｃより水４ｄが漏れ出し、その下方に備えられている袋入りの発熱剤４と水４ｄが接触し、発熱反応を起こす結果、水蒸気４ａが発生する。水蒸気４ａは上昇し、載置部６を通過し袋入り二酸化塩素発生組成物５に接触する。そして、二酸化塩素発生組成物５より発生した二酸化塩素５ａは水蒸気４ａとともに中空管２ｇの貫通孔２ｈを通過し、開口部３より外部へ放出される。
【００４０】
＜実施例４＞
実施例４の空間除菌用具１の容器本体２はガラス製であり、上部にプラスチック製の蓋部２ｂに複数個の開口部３備えられている。実施例４の空間除菌用具１の二酸化塩素発生機構及び使用方法は、実施例１と同様である。しかし、実施例４の空間除菌用具１の容器部２ａは、意匠の施されたガラス製の容器であるので、空間除菌用具としての使用後には、載置部６、袋入り発熱剤４、袋入り二酸化塩素発生組成物５及び蓋部２ｂを取り除き、花瓶などとして再利用することができる。
【産業上の利用可能性】
【００４１】
本発明によれば、二酸化塩素を利用した簡易型の空間除菌方法及び空間除菌用具を提供することができる。
【符号の説明】
【００４２】
１  空間除菌用具
２  容器本体
２ａ  容器部
２ｂ  蓋部
２ｃ  取っ手
２ｄ  孔
２ｅ  天板
２ｆ  突起
２ｇ  中空管
２ｈ  貫通孔
３  開口部
３ａ  小径筒部
４  袋入り発熱剤
４ａ  水蒸気
４ｂ  水
４ｃ  水の入った袋
４ｄ  開封口
４ｅ  シール
５  袋入り二酸化塩素発生組成物
５ａ  二酸化塩素ガス
６  載置部
６ａ  貫通孔
６ｂ  フランジ
【図１】
2015093811.tif 000003
【図２】
2015093811.tif 000004
【図３】
2015093811.tif 000005
【図４】
2015093811.tif 000006
【図５】
2015093811.tif 000007
【図６】
2015093811.tif 000008
【図７】
2015093811.tif 000009